(57)【要約】  複数のサービスエリアの間をローミングできるユーザターミナルへの接続を確立するための通信ネットワーク。このネットワークは、サービスエリアごとにそのサービスエリアによりカバーされる位置へ接続をルーティングできるコントローラを備えている。ユーザターミナルにサービスするコントローラに欠陥がある場合には、他のコントローラの複数の認識を記憶するホームデータベースが、有効である他のコントローラの少なくとも１つを選択することにより、ユーザターミナルへ接続をルーティングすることができる。【選択図】図４
2007527171.tif 000002
【特許請求の範囲】
【請求項１】
複数のサービスエリアの間をローミングできるユーザターミナルへの接続を確立するための通信ネットワークにおいて、
サービスエリアごとにそのサービスエリアによりカバーされる位置へ接続をルーティングできるコントローラと、
前記ユーザターミナルへ接続をルーティングするために通常選択される前記コントローラの認識を記憶すると共に、サービスエリアが前記ユーザターミナルの位置もカバーする他のコントローラの認識を記憶するためのホームデータベースと、
前記通常選択されるコントローラが無効であると決定された場合に、認識が前記ホームデータベースに記憶された前記他のコントローラから、有効な少なくとも１つの新たなコントローラを選択して、その新たなコントローラを経て前記ユーザターミナルへの接続を確立するための手段と、
を備えた通信ネットワーク。
【請求項２】
前記接続は、前記ユーザターミナルへデータパケットを転送することのできるパケット交換接続である、請求項１に記載の通信ネットワーク。
【請求項３】
前記接続は、前記ユーザターミナルへ無線フレームを転送することのできる回線交換接続である、請求項１に記載の通信ネットワーク。
【請求項４】
前記通信ネットワークはワイヤレス通信ネットワークである、請求項１から３のいずれかに記載の通信ネットワーク。
【請求項５】
前記選択手段は、前記新たなコントローラを反映するように前記ホームデータベースも更新する、請求項１から４のいずれかに記載の通信ネットワーク。
【請求項６】
前記接続は、前記ネットワークの別のユーザが前記ネットワークを経て前記ユーザステーションへの接続の確立を開始する移動機着信接続である、請求項１から５のいずれかに記載の通信ネットワーク。
【請求項７】
各コントローラは、前記ユーザターミナルがそのサービスエリアへとローミングするときに前記ホームデータベースから受け取ったユーザデータを記憶するためのバッファを有する、請求項１から６のいずれかに記載の通信ネットワーク。
【請求項８】
各コントローラは、前記ユーザターミナルがそのコントローラのサービスエリアへとローミングするときに前記ユーザターミナルのユーザに対応するデータを記憶するためにそれ自身のデータベースを有する、請求項１から７のいずれかに記載の通信ネットワーク。
【請求項９】
前記コントローラは、移動交換センター（ＭＳＣ）である、請求項１から８のいずれかに記載の通信ネットワーク。
【請求項１０】
通信ネットワークの複数のサービスエリアの間をローミングできるユーザターミナルへの接続を確立するための方法であって、各々のサービスエリアが、そのサービスエリアによりカバーされる位置へ接続をルーティングできるコントローラを有するような方法において、
前記ユーザターミナルへ接続をルーティングする既存のコントローラの認識、及びサービスエリアが前記ユーザターミナルの位置もカバーする他のコントローラの認識をホームデータベースに記憶するステップと、
前記既存のコントローラが無効であることを決定するステップと、
認識が前記ホームデータベースに記憶された他のコントローラから、有効な少なくとも１つの他のコントローラを選択するステップと、
前記選択されたコントローラを経て前記ユーザターミナルへの接続を確立するステップと、
を備えた方法。
【請求項１１】
複数のサービスエリアの間をローミングできるユーザターミナルとの接続を確立するために通信ネットワークに使用されるデータベースエンティティであって、各々のサービスエリアが、そのサービスエリアによりカバーされる位置へ接続をルーティングできるコントローラを有するようなデータベースエンティティにおいて、
前記ユーザターミナルへ接続をルーティングするために通常選択される前記コントローラの認識を記憶すると共に、サービスエリアが前記ユーザターミナルの位置もカバーする他のコントローラの認識を記憶するための記憶手段と、
前記通常選択されるコントローラが無効であると決定された場合に、認識が前記ホームデータベースに記憶された前記他のコントローラから、有効な少なくとも１つの新たなコントローラを選択して、その新たなコントローラを経て前記ユーザターミナルへの接続を確立するための手段と、
を備えたデータベースエンティティ。
【請求項１２】
前記データベースエンティティはホーム位置レジスタである、請求項１１に記載のデータベースエンティティ。
【発明の詳細な説明】
【技術分野】
【０００１】
本発明は、ユーザターミナルへの接続を確立するための通信ネットワークに係り、より詳細には、ワイヤレス通信ネットワークにおいて複数のサービスエリアの間をローミングすることのできるユーザターミナルに係るが、これに限定されない。
【背景技術】
【０００２】
通信ネットワークの運転寿命中のある時点で、少なくとも１つの要素がおそらく欠陥状態となってネットワークの望ましからぬ停止時間を招くことがありがちである。それ故、ネットワーク設計者及びテレコミュニケーションエンジニアは、任意の欠陥に対してネットワークをより弾力性のあるものにするメカニズムを見出すよう常に努力している。一般的に述べると、ワイヤレス通信ネットワークの要素は、例えば、図１に示すように、無線アクセスノード（ＲＡＮ）又はコアノード（ＣＮ）におおよそグループ分けされる。実際に、コアノードは、例えば、ＭＳＣ（移動交換センター）である。
【０００３】
実際に、ＲＡＮノードは、ＵＭＴＳ（ユニバーサル移動テレコミュニケーションシステム）ネットワークの場合にはＲＮＣ（無線ネットワークコントローラ）、又はＧＳＭ等についてはＢＳＣ（ベースステーションコントローラ）のいずれかの形態をとることができる。
【０００４】
図１に示す既知のネットワーク構成は、仕様番号３ＧＰＰ  ＴＳ  ２３．２３６を有し且つ「Intra Domain Connection of RAN Nodes to Multiple CN Nodes」と題する第３世代規格に説明されている。
【０００５】
図１に示すように、ＲＡＮ要素は、ＲＡＮサービスエリア２１、２２、２３、２４、２５、２６、２７、２８と、プールエリア６、８、１１、１２とに分割される。ＲＡＮノードサービスエリアは、ＬＡ（ロケーションエリア）としても知られているもので、ＲＡＮノード、即ち通常、ＲＮＣ又はＢＳＣにより制御されるカバレージエリアである。他方、各々のプールエリアは、その中でサービスＣＮノードを変更する必要なく移動ターミナル（ＭＴ）がローミングしてもよいエリアである。プールエリアは、１つ以上のＣＮノードにより並列にサービスされる。従って、図１の構成は、ＲＡＮノードの接続を１つのＣＮノードのみに制限する厳密なハイアラーキーを克服する。即ち、図１は、ＲＡＮノード２２を、多数のＣＮノード、例えば、ＭＳＣ１及びＭＳＣ４への接続を有するものとして示している。
【０００６】
３ＧＰＰ  ＴＳ  ２３．２３６規格は、単一のＲＡＮノードを二次ＣＮに接続できるという点で冗長性の改善を与えるが、これは、移動機発信（ＭＯ）動作しか回復しない。移動機発信接続とは、コールが通信ネットワークの移動ステーション（ＭＳ）により開始された後にそれが設定されるというものである。これに対して、いわゆる移動機着信（ＭＴ）コールとは、通信ネットワークのＭＳ（移動ステーション）又はユーザターミナルへと設定されるが、通信ネットワークにより開始された接続である。
【発明の開示】
【発明が解決しようとする課題】
【０００７】
図１に示す構成を使用するＭＯ接続の場合に、ＲＡＮノードを二次ＭＳＣに接続できるのは、一次ＭＳＣが利用できない場合である。しかしながら、ＭＴ接続については、状況が全く異なる。この場合に、ＭＳが欠陥ＭＳＣにアタッチされていれば、ＭＳには到達し得ない。このような状況では、ＭＳへのコールが失敗となる。更に、欠陥ＭＳＣのアドレスがネットワークのホーム位置レジスタ（ＨＬＲ）に保持されるので、その後のＭＴコールも失敗となる。現在のところ、この問題については、解決策がない。加入者がＭＯ動作又は位置更新を行うまで、全てのＭＴコールが失敗となる。
【０００８】
そこで、本発明の実施形態の目的は、移動機着信接続に対する通信ネットワークの弾力性を改善することである。
【課題を解決するための手段】
【０００９】
本発明の１つの態様によれば、複数のサービスエリアの間をローミングできるユーザターミナルへの接続を確立するための通信ネットワークにおいて、サービスエリアごとにそのサービスエリアによりカバーされる位置へ接続をルーティングできるコントローラと、ユーザターミナルへ接続をルーティングするために通常選択されるコントローラの認識を記憶すると共に、サービスエリアがユーザターミナルの位置もカバーする他のコントローラの認識を記憶するためのホームデータベースと、通常選択されるコントローラが無効であると決定された場合に、認識がホームデータベースに記憶された他のコントローラから、有効な少なくとも１つの新たなコントローラを選択して、その新たなコントローラを経てユーザターミナルへ接続を確立するための手段と、を備えた通信ネットワークが提供される。
【００１０】
本発明の更に別の態様によれば、通信ネットワークの複数のサービスエリアの間をローミングできるユーザターミナルへの接続を確立するための方法であって、各々のサービスエリアが、そのサービスエリアによりカバーされる位置へ接続をルーティングできるコントローラを有している方法において、ユーザターミナルへ接続をルーティングする既存のコントローラの認識、及びサービスエリアがユーザターミナルの位置もカバーする他のコントローラの認識をホームデータベースに記憶するステップと、その既存のコントローラが無効であることを決定するステップと、認識がホームデータベースに記憶された他のコントローラから、有効な少なくとも１つの他のコントローラを選択するステップと、その選択されたコントローラを経てユーザターミナルへ接続を確立するステップとを備えた方法が提供される。
【発明を実施するための最良の形態】
【００１１】
本発明を良く理解すると共に、本発明をいかに実施するか示すために、添付図面を参照して本発明の実施形態を以下に詳細に説明する。
【００１２】
図１は、ＲＡＮノードを１つのＣＮノードにしか接続しないという従来の制約を克服するマルチポイントワイヤレス通信ネットワークのアーキテクチャーを示す。この制約は、ＰＳ（パケット交換）ドメインで送信されるべき情報とＣＳ（回線交換）ドメインで送信されるべき情報との間は区別するが、各ドメイン内の多数のＣＮノード間を区別しないＲＡＮノードのルーティングメカニズムから生じる。しかしながら、図１の構成は、ＲＡＮノードを多数のＣＮノードに接続し、ＣＳ又はＰＳドメインの異なるＣＮノードへ情報を各々ルーティングするのことを可能とする。
【００１３】
図１には、種々の異なるプールエリアが示され、例えば、図１には、４つの異なるプールエリア６、８、１１、１２が示され、各プールエリアは、１つ以上のＲＡＮノードサービスエリア２１−２５の集合体を備えている。更に、各プールエリアは、多数のＣＮノードにより並列にサービスされ、これは、プールエリアにおいて互いにトラフィックを共有することを可能とする。図１において、ＣＮノードは、ＭＳＣ１−ＭＳＣ７である。
【００１４】
換言すれば、プールエリアは、重畳してもよいが、ＭＳＣ（ＣＮ）サービスエリアでは不可能である。図１は、第１の回線交換（ＣＳ）プールエリア６を示しており、これは、ＭＳＣ１、２及び３によりサービスされるＲＡＮノードサービスエリア２１、２２、２５及び２６を備えている。第２のＣＳプールエリア８は、ＭＳＣ４、５及び６によりサービスされるＲＡＮノード２２、２３、２６及び２７を含むものとして示されている。第１のパケット交換（ＰＳ）プールエリア１１は、ＳＧＳＮ１、２によりサービスされるＲＡＮノード２１及び２５を含むものとして示されている。又、第２のＰＳプールエリア１２は、ＳＧＳＮ３、４及び５によりサービスされるＲＡＮノード２２、２３、２６及び２７を含むものとして示されている。これは、単に、プールエリアの構成の一例に過ぎず、異なる組合せも予想できることが明らかであろう。
【００１５】
図２は、移動機着信コール、即ち通信ネットワークのＭＳへ確立されるべきコールから呼び出すことのできる種々のネットワーク要素を例示する。ワイヤレスネットワークのＭＳ電話番号は、携帯電話の現在位置を明らかにするものではなく、むしろ、ゲートウェイＭＳＣ（ＧＭＳＣ）として知られたワイヤレスネットワーク内のある移動交換センターへコールをルーティングするのに使用される。
【００１６】
図２は、ＭＴコールの一例を特に示すもので、開始側加入者ＭＳ−Ａが、異なるワイヤレス通信ネットワークにいてもいなくてもよい受信側加入者ＭＳ−Ｂへコールを開始しようと試みる。即ち、ＭＳ−Ａは、サービングＭＳＣ４４の制御のもとにあるサービスエリア内にいる。ＭＳ−Ａは、例えば、ＭＳ−Ｂの移動ステーション番号を入力する。それに応答して、サービングＭＳＣ４４は、その番号を使用して、例えば、ＳＳ７（シグナリングシステムＮｏ．７）シグナリングネットワーク３８を経てＭＳ−ＡのゲートウェイＭＳＣ３６へ接続する。特に、コールの試みが到着すると、ＧＭＳＣ３６は、ＭＳの加入者に関連したＨＬＲ（ホーム位置レジスタ）４０とのコール確立段階中にシグナリングを遂行し、これは、例えば、ＳＳ７シグナリングネットワーク３４を経てＨＬＲ４０へＳＲＩ（送信ルーティング情報）メッセージを送信することにより行われ、これは、本発明の範囲外のことで、当業者に良く知られている。
【００１７】
次いで、ＨＬＲ４０は、ＭＳ−Ｂに現在サービスしているＭＳＣ３０を識別し、そしてＨＬＲは、ＭＳ−Ｂの一時的なルーティング番号（ＭＳＲＮ）をＭＳＣ３０から要求する。この情報を受信すると、ＧＭＳＣは、着信側ＭＳへのコールのこの岐路を確立することができ、そして発呼者ＭＳ−Ａと被呼者ＭＳ−Ｂとの間にコールを確立することができる。図２は、２つの別々の実施形態を示す。即ち、第１の実施形態では、ＲＡＮノードは、ＭＳＣ３０により制御されるノードＢ要素及びＲＮＣより成る。第２の実施形態では、ＲＡＮノードは、ＭＳＣ３０により制御されるＢＴＳ及びＢＳＣより成る。
【００１８】
この点において、ワイヤレス通信ネットワークの要素間の既知のインターフェイスを示す図３を参照するのが有用であろう。図３は、ＧＭＳＣ３６がＣインターフェイスを経てＨＬＲ４０と通信できることを示す。ＨＬＲは、ワイヤレス通信ネットワークの加入者に関する永久的な情報を記憶するデータベースである。
【００１９】
これに対して、ＭＳＣ内に配置されて示されたＶＬＲ（ビジター位置レジスタ）３０は、一時的な情報を記憶するデータベースで、サービス中のＭＳＣにより訪問加入者にサービスするのに使用される。即ち、加入者が、新たなＭＳＣにより制御されるサービスエリアに入ると、必要な全ての情報のコピーがＨＬＲから関連ＶＬＲへダウンロードされる。このように、サービングＭＳＣは、実際に異なる通信ネットワークに存在して付加的な遅延を生じさせるこの情報のためにＨＬＲに直接アクセスする必要はない。ＶＬＲの一時的な情報は、ＭＳがＭＳＣのサービスエリアからローミングして出たときにクリアされる。
【００２０】
ＧＭＳＣ３６は、ＭＴコールを被呼者へルーティングする役割を果たすスイッチング要素であり、Ｅインターフェイスを経てサービングＭＳＣ３０と通信すると共に、必要に応じてＧｄインターフェイスを経てＳＧＳＮ４０と通信することができる。ＭＳＣ３０は、通常、そのサービスエリアに関連した一時的な情報を記憶するためのＶＬＲを含む。ＭＳＣ／ＶＬＲ３０は、Ａインターフェイスを経てＢＳＳ（ベースステーションサブシステム）と通信し、Ｉｕインターフェイスを経てＵＴＲＡＮ（ＵＭＴＳ地上無線アクセスネットワーク）と通信し、そしてＧｓインターフェイスを経てＳＧＳＮと通信することができる。ＵＴＲＡＮ４２は、Ｉｕインターフェイスを経てＳＧＳＮ４０と通信することもできる。ＭＳは、各々Ｕｕ及びＵｍインターフェイスでＵＴＲＡＮ４２又はＢＳＳ４４と通信することができる。
【００２１】
一般的に述べると、ＭＴ接続を確立するために、ＧＭＳＣ３６は、コールを確立すべきＭＳ−Ｂの電話番号をＭＳ−Ａから受け取り、次いで、ＧＭＳＣは、Ｃインターフェイスを経てＨＬＲ４０にコンタクトする。ＨＬＲ４０は、ＭＳに現在サービスしているＭＳＣの認識を知っている。というのは、この認識は、パワーアップ中、又は別のＭＳＣによりカバーされたサービスエリアへの移動中のいずれかに行われる登録プロセス中に更新されるからである。次いで、ＨＬＲ４０は、サービス当該ＭＳＣに、ＰＲＮ（ローミング番号付与）要求メッセージ（図２）を送信することにより、ＭＳのＭＳＲＮ（移動ステーションルーティング番号）として知られた一時的ルーティング番号を尋ねる。即ち、各ＭＳＣは、移動ターミナルにＭＳＲＮを指定し、そしてＭＳＲＮからＩＭＳＩ（国際移動加入者認識）として知られたＭＳの独特の識別子へのマッピングを記憶する。このマッピングは、サービングＭＳＣのＶＬＲに一時的に記憶される。
【００２２】
要求された一時的番号ＭＳＲＮは、次いで、各サービングＭＳＣへのコールを設定するためにＨＬＲからＧＭＳＣへと返送される。サービングＭＳＣは、ＶＬＲ内のマッピングテーブルを参照して、ＭＳへの接続を確立する。
【００２３】
図４は、ＭＳへの接続を確立するために本発明の一実施形態により遂行されるシグナリングを示すフローチャートである。ステップＳ５０において、ＧＭＳＣは、ＭＳへのＭＴコールの設定を試みていることを指示するＳＲＩメッセージをＨＬＲへ送信する。ステップＳ５２において、ＨＬＲは、ＳＲＩメッセージを受け取り、そしてＭＳに現在サービスしている関連ＭＳＣのアドレスをそのデータベースから識別する。即ち、ＨＬＲは、その情報に基づいてＭＳに現在サービスしているＭＳＣに一時的ローミング番号の要求を送信する。以下、図４のＭＳＣに代わって用語ＭＳＳを使用することに注意されたい。というのは、これがＭＳＣの特定コンポーネントに対する近代的な用語だからである。即ち、慣習的なＭＳＣは、２つの個別のネットワーク要素、即ちｉ）ＭＳＣサーバー（ＭＳＳ）及びii）メディアゲートウェイ（ＭＧＷ）へと進化した。ＭＳＳは、コール制御及び移動管理機能の役割を果たし、それ故、他の図に示されたＭＳＣの当該部分である。ＭＳＳは、図４では、７０及び７０’で示され、参照番号７０は、欠陥となったＭＳＳを表わし、そして参照番号７０’は、動作し得るＭＳＳを表わす。
【００２４】
ステップＳ５４では、サービスＭＳＳ７０が欠陥であることが検出される。サービングＭＳＣの欠陥を検出する種々の異なる方法があることが明らかであろう。例えば、本発明の一実施形態では、欠陥のＭＳＳ７０がＨＬＲ４０のタイマーにより検出され、サービングＭＳＣから２０秒のようなある時間内に応答が受け取られない場合に、タイマーが時間切れし、サービングＭＳＣが欠陥であると仮定される。別の実施形態では、ＭＳＣに、例えば、自己診断ソフトウェアが装備された場合に、欠陥が検出されると、例えば、ＳＳ７ネットワーク３４を経てＨＬＲ４０にそれを報告することができる。このようにして、ＨＬＲ４０は、サービングＭＳＣが欠陥であることを反映するように直ちに更新することができ、これは、ＨＬＲが時間切れの発生を待機する必要がないので非常に速い回復を生じる。各々のサービングＭＳＣの位置を記憶するのに加えて、本発明のここに述べる実施形態の特徴は、ＨＬＲ４０が、ＭＳの位置をカバーするサービスエリアを有するＭＳＣのような他のコアノードのプールエリアも記憶することである。従って、ステップＳ５４において、サービスＭＳＳ７０が欠陥であることがＨＬＲ４０により検出されると、ＭＳの位置をカバーするサービスエリアを有する別のＭＳＳ’７０についてそのデータベースをルックアップすることができ、そしてステップＳ５６において、ローミング番号の要求が、サービスＭＳＳとなるこの新たなＭＳＳ７０’へ送信される。ステップＳ５８は、この新たなＭＳＳ７０’が有効である（即ち、欠陥がない）ことを示しており、そして成功の応答を一時的なローミング番号と共にＨＬＲへ返送する。ステップＳ６０において、ＨＬＲ４０は、サービングＭＳＣが新たなＭＳＳ７０’であり、古いＭＳＳ７０（ＨＬＲにおいて有効とされない）でないことを反映するように更新される。ステップＳ６２において、ＳＲＩ確認メッセージがＧＭＳＣへ返送される。
【００２５】
ＳＲＩ確認メッセージを受信すると、ＧＭＳＣ３６は、新たなＭＳＳ７０’を経てＭＳ−Ｂへのコールを確立することができ、ここで、ステップＳ６４において、ＭＳがＶＬＲ−２において識別されない場合、又はＩＭＳＩ（国際移動加入者認識）レコードが「確認されず」とマークされた既知のＭＳに対して、ＨＬＲ４０へローミング番号を与えた後に、いわゆるＲＥＳＴＯＲＥ  ＤＡＴＡ（データ回復）サービスがＭＳＳ７０’のＶＬＲ−２により呼び出される。それ故、ＶＬＲ−２は、ＨＬＲ４０と新たなＭＳＳ７０’との間に送信されるＭＡＰ（移動アプリケーションパート）メッセージを含むＲＥＳＴＯＲＥ  ＤＡＴＡを使用してＨＬＲ４０から確認済み加入者データを得ることができる。ステップＳ６６において、ＧＭＳＣ３６と新たなＭＳＳ７０’との間にコールが確立される。従って、ＶＬＲがＲＥＳＴＯＲＥ  ＤＡＴＡサービスをサポートする限り、本発明のこの実施形態の更に別の効果は、ＶＬＲに対する変更が必要とされないことである。
【００２６】
ステップＳ６８は、新たなＭＳＳ７０’によりサービスされる全てのＬＡ（ロケーションエリア）をスキャニングすることにより被呼者ＭＳ−Ｂがサーチされることを指示する。位置エリアは、新たなＭＳＣ７０’により制御される種々のＲＡＮサービスエリアである。
【００２７】
図５は、サービングＭＳＣが欠陥となった場合に異なるＭＳＣによりコールを制御できる前記シーケンスのアーキテクチャー実施を示す。即ち、図５は、ＣＳプールエリア２を制御するＭＳＣ４が欠陥となるが、ＭＴコールに対するＨＬＲはさておき、本発明の実施形態によりＨＬＲがプールエリアセットから新たなＭＳＣ（即ちＭＳＣ５又は６）を選択できることを示している。ＭＯコールについては、ＭＳＣが失われた場合に、ＲＡＮノード、即ちＲＮＣ又はＢＳＣのいずれかに含まれた機能が、ＭＯコールに関連したプールエリアから新たなＭＳＣを選択する役割を果たす。
【００２８】
図６は、本発明の一実施形態によるＨＬＲ４０のデータベース構造の一例を示す。即ち、ＨＬＲ４０は、加入者情報７６と、サービングＭＳＣ７０（即ちＨＬＲに登録されるべき最後のＭＳＣ）の認識又はアドレス７１と、ＭＳの位置をカバーするサービスエリアを有する他のＭＳＣの認識を含むＭＴプールエリア７２とを備えるものとして示されている。
【００２９】
一般に、プール内のコアノードの数は、１０未満であり、通常、図１及び５に示すように、２又は３に過ぎない。本発明の一実施形態によれば、ＨＬＲは、ＨＬＲのアドレス部分７１で識別されたサービングＭＳＣが応答しないときの状況において、ＭＴプールエリア７２における次のＭＳＣがＰＲＮ要求メッセージを実行できるようにする。ＨＬＲには、プールエリア７２における他のＭＳＣのどれを新たなサービングＭＳＣとして選択すべきか選択するための選択手段を設けられることが明らかである。例えば、プール内のＭＳＣの１つが特定の基準を満足して他のものより先に選択されるように優先順位付け手順を実施することもできるし、或いはＨＬＲがＰＲＮ要求を実行するようにＭＳＣの各々を単に順次にポーリングし、そしてこのように行うことのできるプールエリア７２内の第１のＭＳＣを新たなサービングＭＳＣとして選択するようにしてもよい。いずれにせよ、ＨＬＲがプールにおいて有効なＭＳＣ（即ち、欠陥でないもの）を見つけると、ＨＬＲがＨＬＲ４０のエリア７１におけるサービングＭＳＣの認識を更新する。
【００３０】
本発明の実施形態の１つの効果は、コールが確立される前に、即ちＧＭＳＣがＳＲＩメッセージを使用してＨＬＲと通信するときのシグナリング段階中に、ＨＬＲがサービングＭＳＣの欠陥を検出できることである。この手順は、ネットワークの発呼者ＭＳ−Ａには分からない。コールが被呼者ＭＳ−Ｂに出され、そしてサービングＭＳＣ（その加入者に対してＨＬＲデータベースに最初に記憶された）が何らかの理由で欠陥となっても、発呼者ＭＳ−Ａには見えずに、有効ＭＳＣを経てルーティングされる。
【００３１】
ＭＳＣは、洪水、火災、地震等の自然災害を含む多数の異なる理由で欠陥となり得る。本発明の実施形態は、サービングＭＳＣが失われた場合にコールネットワークの弾力性を改善し、そしてこのようなＭＳＣが失われた場合にＭＴコールをＭＳへ首尾良くルーティングできるようにする。
【００３２】
本発明の実施形態の別の効果は、被呼加入者とで何か問題があることに発呼加入者が気付かないことである。
【００３３】
本発明の実施形態の更に別の効果は、実際にコールされた加入者だけに回復アクションが集中することである。従って、本発明の実施形態は、コール設定段階中に有効なＭＳＣを動的に選択できるので、更に別の情報を更新する必要がなく、これは、欠陥のあるＭＳＣにアタッチされた全ての加入者を更新することに集中する他の解決策で予想できるわずらわしい負荷を減少する。
【００３４】
本発明の更に別の効果は、この解決策がＭＳＣノードそれ自体に物理的な変更を必要とせず、これがＨＬＲ内で達成されることである。
【００３５】
本発明の実施形態の更に別の効果は、欠陥のあるＭＳＣの認識がＨＬＲ内で新たなＭＳＣと置き換えられることから得られる。これに対して、従来は、欠陥のあるＭＳＣのアドレスがＨＬＲに保持され、これは、その後のＭＴコールも失敗させる。各ＭＳＣの認識は、例えば、標準的なＵＭＴＳアドレッシングを使用してアドレスとして記憶することができ、これは、本発明の範囲外のことで、当業者に良く知られていることを理解されたい。
【００３６】
ＭＳという語は、移動ステーションを参照するために使用されたが、いかなる形態の適当なユーザターミナルが使用されてもよいことが明らかであろう。例えば、ユーザターミナルは、ＰＤＡ（パーソナルデジタルアシスタント）の形態をとることもできるし、或いはワイヤレスネットワークによりオファーされるテレコミュニケーションサービスを受けることのできる他の適当なハンドヘルド装置の形態をとることもできる。
【００３７】
図２は、例えば、ＳＳ７ネットワーク３４、３８を示すが、他の適当なシグナリングシステム又はコミュニケーションフォーマットを使用できることも明らかであろう。
【図面の簡単な説明】
【００３８】
【図１】ＲＡＮノードを多数のＣＮノードへドメイン内接続するところを示す図である。
【図２】本発明の一実施形態による種々の要素を含むワイヤレス通信ネットワークハイアラーキーを示す図である。
【図３】本発明の一実施形態によるワイヤレス通信ネットワークの要素のインターフェイスにおける論理的アーキテクチャーを示す図である。
【図４】本発明の一実施形態による通信ネットワークの要素間のオペレーションのシーケンスを示す図である。
【図５】本発明の一実施形態によりＲＡＮノードを多数のＣＮノードにドメイン接続するところを示す図である。
【図６】本発明の一実施形態によるＨＬＲデータベースのメモリ構造を示す図である。
【図１】
2007527171.tif 000003
【図２】
2007527171.tif 000004
【図３】
2007527171.tif 000005
【図４】
2007527171.tif 000006
【図５】
2007527171.tif 000007
【図６】
2007527171.tif 000008
【国際調査報告】
2007527171.tif 000009
2007527171.tif 000010